(57)【特許請求の範囲】
【請求項１】
金属製のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記本体部をかしめて伸ばすことにより前記凹部において前記突出部を前記溝の溝壁に食い込ませ、これにより前記保持部を前記ハウジングに保持させたことを特徴とするコネクタ。
【請求項２】
金属製のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記ハウジングの一部をかしめて伸ばすことにより前記凹部において前記突出部を前記溝の溝壁に食い込ませ、これにより前記保持部を前記ハウジングに保持させたことを特徴とするコネクタ。
【請求項３】
金属性のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記本体部をかしめて伸ばすことと前記ハウジングの一部をかしめて伸ばすこととにより前記凹部において前記突出部を前記溝の溝壁に食い込ませ、これにより前記保持部を前記ハウジングに保持させたことを特徴とするコネクタ。
【請求項４】
前記保持部は、前記突出部とは反対側にへこみ部を有し、前記ハウジングは、前記へこみ部に対応して形成された凸部を有する、請求項１から３のいずれか一項に記載のコネクタ。
【請求項５】
前記ハウジングは、前記溝を形成する突起部を有し、前記突起部の高さは、前記保持部よりも高く設計されている、請求項１から４のいずれか一項に記載のコネクタ。
【請求項６】
前記ハウジングは、前記溝を形成する突起部を有し、前記突起部の高さは、前記保持部よりも低く設計されている、請求項１から４のいずれか一項に記載のコネクタ。
【請求項７】
前記ハウジングは、前記溝を形成する突起部を有し、前記突起部の高さは、前記保持部と実質的に同じに設計されている、請求項１から４のいずれか一項に記載のコネクタ。
【発明の詳細な説明】
【技術分野】
【０００１】
本発明は、絶縁物製のハウジングに金属製のコンタクトを保持させてなるコネクタに関するものである。
【背景技術】
【０００２】
一般的なコネクタでは、絶縁物製のハウジングに複数の金属製のコンタクトを保持させる場合、いわゆる圧入という手法が多く取られている。最近では、コンタクトの狭ピッチ化が進むにつれ、コンタクト間の絶縁物にも薄肉化が余儀なくされている。このため、圧入に耐え得る強度が確保できずに圧入時にクラックが発生したり、コンタクト保持力が低下したり、圧入突起による樹脂の残留応力により、コネクタが反ってしまったり、両側圧入突起の位置ズレにより、コンタクトが傾き、コンタクトの整列性が悪いといった不具合が懸念されている。
【０００３】
そこで、コンタクト保持構造として、隣接するコンタクトの圧入部位置をオフセットさせる方法が考えられている。しかしながら、圧入であることには変わりなく、インシュレータに鋭利な金属部が圧入されることによるクラックや反りの発生が幾分軽減されるにとどまり、抜本的な改良とはいえない。
【０００４】
また、例えば特許文献１は、絶縁物製のハウジングに金属製のコンタクトを保持させる技術の一例が開示されている。そこでは、ハウジングに形成した溝にピンを嵌め、ハウジングの溝の周辺にポンチを適用することによりハウジングの一部に特殊形状の変形部を作り、この変形部によりハウジングにコンタクトを保持させている。しかしながら、このような特殊形状の変形部によるコンタクトの保持は、経年変化などにより保持力が低減する虞があり、信頼性に問題がある。
【０００５】
【特許文献１】実開昭５９−４９３８２号公報
【発明の開示】
【発明が解決しようとする課題】
【０００６】
それ故に本発明の課題は、コンタクトの狭ピッチ化に対応できる、コンタクトの保持の信頼性が高いコネクタを提供することにある。
【課題を解決するための手段】
【０００７】
本発明の一態様によれば、金属製のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記本体部をかしめて伸ばすことにより前記凹部において前記突出部を前記溝の溝壁に食い込ませ、これにより前記保持部を前記ハウジングに保持させたことを特徴とするコネクタが得られる。
【０００８】
本発明の他の態様によれば、金属製のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記ハウジングの一部をかしめて伸ばすことにより前記凹部において前記突出部を前記溝の溝壁に食い込ませ、これにより前記保持部を前記ハウジングに保持させたことを特徴とするコネクタが得られる。
【０００９】
本発明のさらに他の態様によれば、金属性のコンタクトと前記コンタクトを保持した絶縁物製のハウジングとを含むコネクタにおいて、前記コンタクトは、前記ハウジングに保持される保持部を有し、前記保持部は、本体部と、前記本体部から突出した少なくとも一つの突出部とを有し、前記ハウジングは、前記保持部を配置した溝と、前記突出部に対応して形成された凹部とを有し、前記本体部をかしめて伸ばすことと前記ハウジングの一部をかしめて伸ばすこととにより前記凹部において前記突出部を前記溝の溝壁に食い込ませ、これにより前記保持部を前記ハウジングに保持させたことを特徴とするコネクタが得られる。
【００１０】
前記保持部は、前記突出部とは反対側にへこみ部を有し、前記ハウジングは、前記へこみ部に対応して形成された凸部を有してもよい。
【００１１】
前記ハウジングは、前記溝を形成する突起部を有し、前記突起部の高さは、前記保持部よりも高く設計されていてもよい。
【００１２】
前記ハウジングは、前記溝を形成する突起部を有し、前記突起部の高さは、前記保持部よりも低く設計されていてもよい。
【００１３】
前記ハウジングは、前記溝を形成する突起部を有し、前記突起部の高さは、前記保持部と実質的に同じに設計されていてもよい。
【発明の効果】
【００１４】
本発明のこれらの態様によるコネクタは、コンタクトの狭ピッチ化に対応でき、かつ、コンタクトの保持の信頼性が高い。
【発明を実施するための最良の形態】
【００１５】
図１及び図２を参照して、本発明の第１の実施形態に係るコネクタについて説明する。
【００１６】
図示のコネクタは、金属製の複数のコンタクト１と、これらのコンタクト１を保持した絶縁物製のハウジング（以下、「インシュレータ」と呼ぶこともある）２とを含んでいる。コンタクト１は左右対称に２列に配列されている。各コンタクト１は、ハウジング２に保持された保持部４と、保持部４の上端から上方に延びかつ外側に湾曲しつつ折り返されたバネ部５と、保持部４の下端から外向きに直角に折れ曲がった端子部６とを一体に有している。なお、バネ部５の自由端近傍には接触部７が形成されている。
【００１７】
図１及び図２において、便宜上、中心線３の左側はコンタクト１がハウジング２に保持される前のコネクタ未完成状態を示し、中心線３の右側はコンタクト１がハウジング２に保持されたコネクタ完成状態を示す。
【００１８】
先ず中心線３の左側を参照すると、各コンタクト１の保持部４は、ハウジング２に形成した溝８に配置されているが、未だハウジング２に保持されていない。溝８を形成する突起部９の高さは、コンタクト１の保持部４の厚み寸法よりも十分に大きく設計されている。コンタクト１をハウジング２に保持させるために、かしめ治具１１を使用する。即ち、コンタクト１の保持部４をハウジング２の溝８にそれぞれ配置した後、かしめ治具１１を白抜き矢印１２の方向に移動させて、突起部９を潰して保持部４上に伸ばす。なお、中心線３の左側では、ハウジング２は「かしめ前のインシュレータ」として図示されている。
【００１９】
次に中心線３の右側を参照すると、ハウジング２は「かしめ後のインシュレータ」として図示されている。コンタクト１は、かしめられた突起部９により、ハウジング２にしっかりと固定保持されている。この状態で、端子部６はハウジング２の下面と実質的に面一に延びている。したがって、このコネクタを回路基板など（図示せず）に搭載した際に端子部６を回路基板の回路に容易に電気的に接続できる。
【００２０】
上述したように、図１及び図２に示すコネクタでは、ハウジング２の一部をかしめにより伸ばすことで、コンタクト１の保持部４を保持している。なお、かしめに際し、保持部４を溝８の溝壁に食い込ませることは好ましい。
【００２１】
図１と共に図３を参照して、本発明の第２の実施形態に係るコネクタについて説明する。同様な部分については同じ参照符号を付して説明を省略する。
【００２２】
図３においても、便宜上、中心線３の左側はコンタクト１がハウジング２に保持される前のコネクタ未完成状態を示し、中心線３の右側はコンタクト１がハウジング２に保持されたコネクタ完成状態を示す。
【００２３】
先ず中心線３の左側を参照すると、各コンタクト１の保持部４は、ハウジング２に形成した溝８に配置されているが、未だハウジング２に保持されていない。溝８を形成する突起部９の高さは、コンタクト１の保持部４の厚み寸法の半分程度に設計されている。コンタクト１をハウジング２に保持させるために、かしめ治具１１を使用する。即ち、コンタクト１の保持部４をハウジング２の溝８にそれぞれ配置した後、かしめ治具１１を白抜き矢印１２の方向に移動させて、コンタクト１の保持部４を潰して伸ばす。こうして、保持部４のかしめにより、保持部４を伸ばして突起部９に圧接させる。なお、中心線３の左側では、コンタクト１は「かしめ前のコンタクト」としてハウジング２と共に図示されている。
【００２４】
次に中心線３の右側を参照すると、コンタクト１は「かしめ後のコンタクト」としてハウジング２と共に図示されている。コンタクト１は、かしめられた保持部４により、ハウジング２にしっかりと固定保持されている。この状態で、端子部６はハウジング２の下面と実質的に面一に延びている。したがって、このコネクタを回路基板など（図示せず）に搭載した際に端子部６を回路基板の回路に容易に電気的に接続できる。
【００２５】
上述したように、図３に示すコネクタでは、保持部４をかしめにより伸ばすことで、コンタクト１をハウジング２に保持させている。なお、かしめに際し、保持部４を溝８の溝壁に食い込ませることは好ましい。
【００２６】
図１と共に図４を参照して、本発明の第３の実施形態に係るコネクタについて説明する。同様な部分については同じ参照符号を付して説明を省略する。
【００２７】
図４においても、便宜上、中心線３の左側はコンタクト１がハウジング２に保持される前のコネクタ未完成状態を示し、中心線３の右側はコンタクト１がハウジング２に保持されたコネクタ完成状態を示す。
【００２８】
先ず中心線３の左側を参照すると、各コンタクト１の保持部４は、ハウジング２に形成した溝８に配置されているが、未だハウジング２に保持されていない。溝８を形成する突起部９の高さは、コンタクト１の保持部４の厚み寸法と実質的に同じに設計されている。コンタクト１をハウジング２に保持させるために、かしめ治具１１を使用する。即ち、コンタクト１の保持部４をハウジング２の溝８にそれぞれ配置した後、かしめ治具１１を白抜き矢印１２の方向に移動させて、コンタクト１の保持部４をハウジング２の突起部９と共に潰して伸ばす。こうして、保持部４と突起部９のかしめにより、保持部４と突起部９を伸ばして保持部４を突起部９に圧接させる。なお、中心線３の左側では、コンタクト１は「かしめ前のコンタクト」としてハウジング２と共に図示されている。
【００２９】
次に中心線３の右側を参照すると、コンタクト１は「かしめ後のコンタクト」としてハウジング２と共に図示されている。コンタクト１は、かしめられた保持部４により、ハウジング２にしっかりと固定保持されている。この状態で、端子部６はハウジング２の下面と実質的に面一に延びている。したがって、このコネクタを回路基板など（図示せず）に搭載した際に端子部６を回路基板の回路に容易に電気的に接続できる。
【００３０】
上述したように、図４に示すコネクタでは、保持部４をかしめにより伸ばすことで、コンタクト１をハウジング２に保持させている。なお、かしめに際し、保持部４を溝８の溝壁に食い込ませることは好ましい。
【００３１】
次に、図５〜図７を参照して、図２を用いて説明したようなハウジング２の一部のかしめによりコンタクト１を保持する三つの形態について説明する。なお、同様な部分には同じ参照符号を付している。
【００３２】
図５（ａ）を参照すると、コンタクト１の保持部４は、本体部４ａと、本体部４ａの任意位置で一側に突出した突出部４ｂと、突出部４ｂの反対側に形成されたへこみ部４ｃとを有している。一方、ハウジング２の突起部９は、突出部４ｂ及びへこみ部４ｃにそれぞれ対応した凹部９ａ及び凸部９ｂを有している。かしめる前は、保持部４は突起部９間にがたつきをもって配置されている。かしめ治具によるハウジング２のかしめは、本体部４ａの両側に適用される。かしめる領域を参照符合１３で示した。
【００３３】
かしめの結果、図５（ｂ）に示すように、ハウジング２の一部がコンタクト１の突出部４ｂ及びへ込み部４ｃに圧接する。したがって、コンタクト１はハウジング２にしっかりと保持される。
【００３４】
図６（ａ）を参照すると、コンタクト１の保持部４は、本体部４ａの任意位置で両側にへこんだへこみ部４ｃ及び４ｃ´を有している。一方、ハウジング２の突起部９は、へこみ部４ｃ及び４ｃ´にそれぞれ対応した凸部９ｂ及び９ｂ´を有している。かしめる前は、保持部４は突起部９間にがたつきをもって配置されている。かしめ治具によるハウジング２のかしめの領域１３は、ここでも、本体部４ａの両側にある。
【００３５】
かしめの結果、図６（ｂ）に示すように、ハウジング２の一部がコンタクト１の両へこみ４ｃ及び４ｃ´に圧接する。したがって、コンタクト１はハウジング２にしっかりと保持される。
【００３６】
図７（ａ）を参照すると、コンタクト１の保持部４は、本体部４ａの任意位置で両側に突出した突出部４ｂ及び４ｂ´を有している。一方、ハウジング２の突起部９は、突出部４ｂ及び４ｂ´にそれぞれ対応した凹部９ａ及び９ａ´を有している。かしめる前は、保持部４は突起部９間にがたつきをもって配置されている。かしめ治具によるハウジング２のかしめの領域１３は、ここでも、本体部４ａの両側にある。
【００３７】
かしめの結果、図７（ｂ）に示すように、ハウジング２の一部がコンタクト１の両突出部４ｂ及び４ｂ´に圧接する。したがって、コンタクト１はハウジング２にしっかりと保持される。
【００３８】
図８を参照して、図３を用いて説明したようなコンタクト１の一部のかしめによりコンタクト１を保持する形態について説明する。なお、同様な部分には同じ参照符号を付している。
【００３９】
図８（ａ）を参照すると、コンタクト１の保持部４は、本体部４ａの任意位置で両側に突出した突出部４ｂ及び４ｂ´を有している。一方、ハウジング２の突起部９は、突出部４ｂ及び４ｂ´にそれぞれ対応した凹部９ａ及び９ａ´を有している。かしめる前は、保持部４は突起部９間にがたつきをもって配置されている。かしめ治具によるコンタクト１のかしめ領域１３は、ここでは、本体部４ａにある。
【００４０】
かしめの結果、図８（ｂ）に示すように、本体部４ｂが外側に広がり、ハウジングの突起部９に圧接する。したがって、コンタクト１はハウジング２にしっかりと保持される。
【００４１】
図９を参照して、図４を用いて説明したようなコンタクト１の一部及びハウジング２の一部のかしめによりコンタクト１を保持する形態について説明する。なお、同様な部分には同じ参照符号を付している。
【００４２】
図９（ａ）を参照すると、コンタクト１の保持部４は、本体部４ａの任意位置で両側に突出した突出部４ｂ及び４ｂ´を有している。一方、ハウジング２の突起部９は、突出部４ｂ及び４ｂ´にそれぞれ対応した凹部９ａ及び９ａ´を有している。かしめる前は、保持部４は突起部９間にがたつきをもって配置されている。かしめ治具によるコンタクト１及びハウジング２のかしめ領域１３は、ここでは、本体部４ａ及びその両隣接領域にある。
【００４３】
かしめの結果、図９（ｂ）に示すように、本体部４ｂがハウジング２の突起部９に圧接する。したがって、コンタクト１はハウジング２にしっかりと保持される。
【００４４】
次に、図１０〜図１３を参照して、上述したコンタクト１に相当するコンタクト２１をその一部のかしめにより、上述したハウジング２に相当するインシュレータ２２に保持させる方法について、原理的に説明する。
【００４５】
図１０に示すように、インシュレータ２２の開口部２２ａにコンタクト２１を配置する。コンタクト２１の下方には台座２３を配置する。そして、台座２３よりも少し幅の狭いパンチ２４をコンタクト２１の上方から下降させてコンタクト２１を台座２３との間でプレスする。すると、コンタクト２１が台座２３上で延伸し、インシュレータ２２の開口部２２ａの縁に圧接する。この結果、コンタクト２１はインシュレータ２２に保持される。
【００４６】
図１０を用いて説明した方法によると、図１１に示すようにコンタクト２１の一部をインシュレータ２２に食い込ませることが容易に可能である。
【００４７】
図１２に示すようにパンチ２４の形状を変更し、プレス時にコンタクト２１の端部近傍をインシュレータ２２の開口部２２ａの縁に向けて押圧するようにしてもよい。これによれば、小さなプレス力でコンタクト２１の延伸を効果的に得ることができる。
【００４８】
また、図１３に示すように、インシュレータ２２に予め溝２２ｂを形成し、この溝２２ｂを利用してコンタクト２１をインシュレータ２２に仮保持させ、この状態で台座２３及びパンチ２４を用いてコンタクト２１を延伸させ、コンタクト２１の一部をインシュレータ２２に食い込ませてもよい。
【００４９】
なお、図１０〜図１３を用いて説明した方法は、図１〜図９を用いて説明した様々なコネクタを得るために適用可能である。
【００５０】
上述したコネクタの実施例の一つを図１４に示したが、その他の様々な形態で本発明を実施できることは言うまでもない。
【００５１】
以上説明したように、インシュレータ・コンタクト間の形状を工夫し、かつ、これをかしめることにより、鋭利な金属圧入部をインシュレータに圧入することなくコンタクト・インシュレータ間に十分な密着力を得ることができ、クラック発生による保持力低下や残留応力によるコネクタ反りの防止に効果的であり、また、圧入に較べてコンタクト・インシュレータ間の密着部が広くとれるため、コンタクトの傾きや整列性の改善を図ることもできる。
【００５２】
特に、圧入よりもインシュレータに与える負担が少なく、クラック発生や反りの発生を防止することができる。また、インシュレータとコンタクトが互いに押圧しあうようにしてコンタクトを密着保持するため、圧入に比べて面で保持するような状態となり、コンタクトの傾きや整列性への悪影響を改善することができる。
【図面の簡単な説明】
【００５３】
【図１】本発明の第１の実施形態に係るコネクタをかしめ治具と共に示した断面側面図である。
【図２】図１のII−II線に沿って得られた断面図である。
【図３】本発明の第２の実施形態に係るコネクタをかしめ治具と共に示した、図２と同様な断面図である。
【図４】本発明の第３の実施形態に係るコネクタをかしめ治具と共に示した、図２と同様な断面図である。
【図５】コンタクトを保持する第１の例を説明するための説明図で、かしめ治具の方向から見た図である。
【図６】コンタクトを保持する第２の例を説明するための説明図で、かしめ治具の方向から見た図である。
【図７】コンタクトを保持する第３の例を説明するための説明図で、かしめ治具の方向から見た図である。
【図８】コンタクトを保持する第４の例を説明するための説明図で、かしめ治具の方向から見た図である。
【図９】コンタクトを保持する第５の例を説明するための説明図で、かしめ治具の方向から見た図である。
【図１０】かしめ方法の一例を説明するための説明図である。
【図１１】図１０を用いて説明したかしめ方法によりかしめた後の状態を示す断面図である。
【図１２】かしめ方法の他例を説明するための説明図である。
【図１３】かしめ方法の更に他例を説明するための説明図である。
【図１４】本発明を適用して得られたコネクタの一例を示す外観斜視図である。
【符号の説明】
【００５４】
１  コンタクト
２  ハウジング（又はインシュレータ）
３  中心線
４      保持部
５      バネ部
６      端子部
７      接触部
８      溝
９      突起部
１１    かしめ治具
４ａ    本体部
４ｂ、４ｂ´  突出部
４ｃ、４ｃ´  へこみ部
９ａ、９ａ´  凹部
９ｂ、９ｂ´  凸部
１３    かしめ領域
２１    コンタクト
２２    インシュレータ
２２ａ  開口部
２２ｂ  溝
２３    台座
２４    パンチ
【図１】
0004878589.tif 000002
【図２】
0004878589.tif 000003
【図３】
0004878589.tif 000004
【図４】
0004878589.tif 000005
【図５】
0004878589.tif 000006
【図６】
0004878589.tif 000007
【図７】
0004878589.tif 000008
【図８】
0004878589.tif 000009
【図９】
0004878589.tif 000010
【図１０】
0004878589.tif 000011
【図１１】
0004878589.tif 000012
【図１２】
0004878589.tif 000013
【図１３】
0004878589.tif 000014
【図１４】
0004878589.tif 000015